Podtech/llm-jp-corpus-v4-ja_patent huggingface dataset:
(57)【要約】      （修正有）【課題】男性が排尿後に残尿を拭取り、そのまま小便器に廃棄できる残尿拭取紙を提供する。【解決手段】水溶紙よりなる本体１は、水溶性を良くする為に厚さを５０ミクロンとし、大きさは、使用携帯にに適切な横約５ｃｍ縦約３ｃｍとする。本体１の両端に接着された把手２を設ける。本体１と把手部２の接続は本体を上下から挟む形態とし、厚さは本体のよりも厚く６０ミクロンで構成される。両端に接続する把手部は本体と溶性接着剤で接着する。【選択図】図１
0003179510.tif 000002
【実用新案登録請求の範囲】
【請求項１】
水溶紙よりなる本体と上記本体の両端部に接着され、上記本体よりも厚みの大きい水溶紙よりなる把手部を備えた残尿拭取紙
【考案の詳細な説明】
【技術分野】
【０００１】本考案は、残尿拭取紙に関するものである。
【背景技術】
【０００２】日常において小水後陰茎を振っても残尿がありこの残尿によってズボンの濡れと小水の乾燥によるズボンの前の汚れが生じている。
【考案の概要】
【考案が解決しようとする課題】
【０００３】男性の小水後には残尿がある。陰茎を振っても残尿がありズボン前部を濡らすことがあり小水の乾燥によるズボンの前部の汚れの解決をしようとするものである。
【課題が解決するための手段】
【０００４】本考案は、陰茎から残尿を拭き取る際に水溶紙を使用するがその際、残尿を拭き取る際の指への付着を避ける為に水溶紙に把手を形成する。把手は残尿拭き取り紙本体の薄紙だけでは軽量で有り重量的にも残尿の拭き取りに不具合が生じ更に水溶紙本体だけでは残尿を拭き取ると残尿が指に付着し衛生的でなく把手を両手指で挟み陰茎の先端に当て残尿を拭き取るものである。
【考案の効果】
【０００８】小水の後陰茎を振っても残尿が陰茎先端に残りこれによりズボンの前が濡れ乾燥した後ズボンの前を汚すこととなる。その残尿を水溶紙で拭き取りズボンの汚れが防げる。陰茎の先端の残尿を拭き取る際、両端把手付き水溶紙で両手指で拭き取ると残尿が指に付着せず衛生面と指への小水の付着による不快感が除去され更に水溶紙であり残尿拭取後の紙は大便所の便器等に捨てに行く必要はなく小便器に小水後捨てれば便器の小水の湿りや水洗等で溶け小便器が詰まることなく流れるものである。  （公序良俗違反につき、不掲載）水で洗い流すことを前提とした物流ラベルなどの新しい用途を生み出せる市場を開拓する。」と企業でも水溶紙の用途を模索しており、本考案の残尿水溶紙は利用価値が有る。
【図面の簡単な説明】
【０００９】
【図】  本考案に係る把手付き水溶紙である。
【符号の説明】
【００１０】図１  水溶紙本体
図２  把手付き水溶紙
図３  断面図
【考案を実施するための形態】
【０００５】図１においては水溶紙よりなる本体で例えば（公序良俗違反につき、不掲載）水溶性を良くする為にその半分の５０ミクロンとする。大きさは、使用携帯にに適切な横約５ｃｍ縦約３ｃｍとする。本体の両端に接着された把手を設ける。本体と把手部の接続は本体を上下から挟む形態とし厚さは本体のよりも厚く６０ミクロンで構成される。両端に接続する把手部は本体と溶性接着剤、例えば（公序良俗違反につき、不掲載）で接着する。図３は断面図で１が本体２は把手部３は本体と把手の接着部分である。以下扱い方について説明する。小水を終えた後の残尿を拭き取る為に陰茎の先に水溶紙本体図１を当てる。その際指に残尿が付着しないよう図２の把手を両手指で持ち残尿を拭き取る。拭き取った後の拭き取り紙は小水用の便器に捨てると小水の湿りや小水後の水洗で水溶紙は溶け流れ本体１は勿論のこと把手部も水溶紙でありゴミとして残ることはなく便器の詰まりもないのである。
【図１】
0003179510.tif 000003
【図２】
0003179510.tif 000004
【図３】
0003179510.tif 000005
【手続補正書】
【提出日】平成24年8月3日(2012.8.3)
【手続補正１】
【補正対象書類名】明細書
【補正対象項目名】全文
【補正方法】変更
【補正の内容】
【考案の詳細な説明】
【技術分野】
【０００１】本考案は、残拭取紙に関するものである。
【背景技術】
【０００２】日常において水後陰茎を振っても残尿がありこの残尿によってズボンの濡れと小水の乾燥によるズボンの前の汚れが生じている。
【考案の概要】
【考案が解決しようとする課題】
【０００３】男性の小水後には残尿がある。陰茎を振っても残尿がありズボン前部を濡らすことがあり小水の乾燥によるズボンの前部の汚れの解決をしようとするものである。
【課題が解決するための手段】
【０００４】本考案は、陰茎から残尿を拭き取る際に水溶紙を使用するがその際、残尿を拭き取る際の指への付着を避ける為に水溶紙に把手を形成する。把手は残尿拭き取り紙本体の薄紙だけでは軽量で有り重量的にも残尿の拭き取りに不具合が生じ更に水溶紙本体だけでは残尿を拭き取ると残尿が指に付着し衛生的でなく把手を両手指で挟み陰茎の先端に当て残尿を拭き取るものである。
【考案の効果】
【０００５】小水の後陰茎を振っても残尿が陰茎先端に残りこれによりズボンの前が濡れ乾燥した後ズボンの前を汚すこととなる。その残尿を水溶紙で拭き取りズボンの汚れが防げる。陰茎の先端の残尿を拭き取る際、両端把手付き水溶紙で両手指で拭き取ると残尿が指に付着せず衛生面と指への小水の付着による不快感が除去され更に水溶紙であり残尿拭取後の紙は大便所の便器等に捨てに行く必要はなく小便器に小水後捨てれば便器の小水の湿りや水洗等で溶け小便器が詰まることなく流れるものである。
水で洗い流すことを前提とした物流ラベルなどの「新しい用途を生み出せる市場を開拓する。」と企業でも水溶紙の用途を模索しており、本考案の残尿水溶紙は利用価値が有る。
【図面の簡単な説明】
【０００６】
【図１】  本考案係る残尿拭取紙の立体図である。
【図２】  本考案係る残尿拭取紙の形態図である。
【図３】  本考案係る残尿拭取紙の断面図である。
【符号の説明】
【０００７】  １  …  水溶紙
２  …  把手部
３  …  接着部
【考案を実施するための形態】
【０００８】図１においては水溶紙よりなる本体であるが水溶性を良くする為に５０ミクロンとする。大きさは、使用携帯にに適切な横約５ｃｍ縦約３ｃｍとする。本体の両端に接着された把手を設ける。本体と把手部の接続は本体を上下から挟む形態とし厚さは本体のよりも厚く６０ミクロンで構成される。両端に接続する把手部は本体と溶性接着剤で接着する。図３は断面図で１が本体２は把手部３は本体と把手の接着部分である。
以下扱い方について説明する。小水を終えた後の残尿を拭き取る為に陰茎の先に水溶紙本体図１を当てる。その際指に残尿が付着しないよう図２の把手を両手指で持ち残尿を拭き取る。拭き取った後の拭き取り紙は小水用の便器に捨てると小水の湿りや小水後の水洗で水溶紙は溶け流れ本体１は勿論のこと把手部も水溶紙でありゴミとして残ることはなく便器の詰まりもないのである。
【手続補正２】
【補正対象書類名】図面
【補正対象項目名】全図
【補正方法】変更
【補正の内容】
【図１】
0003179510.tif 000006
【図２】
0003179510.tif 000007
【図３】
0003179510.tif 000008
(57)【要約】      （修正有）【課題】ポンプボトルのキャップを容易に開けることができる詰め替え用容器のキャップ開け具を提供する。【解決手段】略長方形の握り柄１における長手方向の端部に詰め替え用容器のキャップの根元を囲む切り欠き形状の口挟み３を備えた握り柄１と、キャップ回し４と、をスプリング紐６を介して連結する。キャップ回し４は、詰め替え用容器のキャップに係合する係合孔であって、内側面に縦溝が刻まれた係合孔５と、キャップ回しの外側面上部に複数の凹部が設けられる。【選択図】図１
0003179502.tif 000002
【実用新案登録請求の範囲】
【請求項１】
ポンプボトルにつめかえ用のシャンプー、リンス等のキャツプを容易に開けることができる。
【考案の詳細な説明】
【技術分野】
【０００１】本考案は、ポンプボトル、への詰め替える時に関するものである。
【背景技実】
【０００２】浴室等におけるシャンプー、リンス、など詰め替えるとき、キャプが小さくて開けるのに難儀する。考案の器具を使用する事で解決する。
【図面の簡単な説明】
【０００３】
【図１】本考案のキャップを開ける為の握り柄の平面図である。
【図２】握り柄の断面
【符号の説明】
【０００４】  １  握り柄
２  握り柄の断面
３  シャンプー口挟み
４  シャンプーキャップ回し
５  係合孔
６  スプリングひも（ａ）
７  スブリングひもを結ぶ空回りする輪
８  スプリングひも止メ孔
９  キャップ回し凸部が握り柄に締まっておさまる。
１０  縦溝
【図１】
0003179502.tif 000003
【図２】
0003179502.tif 000004
【図３】
0003179502.tif 000005
【図４】
0003179502.tif 000006
【図５】
0003179502.tif 000007
【手続補正書】
【提出日】平成24年4月16日(2012.4.16)
【手続補正１】
【補正対象書類名】実用新案登録請求の範囲
【補正対象項目名】全文
【補正方法】変更
【補正の内容】
【実用新案登録請求の範囲】
【請求項１】
シャンプー，リンスのポンプボトルに詰め替え用シャンプー，リンス容器のキャップを容易に開けることを特徴とするキャップ開け具。
【手続補正３】
【補正対象書類名】明細書
【補正対象項目名】０００３
【補正方法】変更
【補正の内容】
【０００３】
【図１】本考案は詰め替え用シャンプー，リンス容器のキャップ開け具握り柄の平面図。
【図２】容器キャップ開け具握り柄の断面図。
【図３】握り柄（図１）をシャンプー，リンス容器の口元に差し込む。
【図４】キャップ回しを（図３）の容器キャップにかぶせ手で回す（６Ａ）スプリングひもを握り柄に結ぶ。
【図５】キャップ開け具握り柄（平面図）の丸穴に収め一対にして置く。
【手続補正書】
【提出日】平成24年6月21日(2012.6.21)
【手続補正１】
【補正対象書類名】実用新案登録請求の範囲
【補正対象項目名】全文
【補正方法】変更
【補正の内容】
【実用新案登録請求の範囲】
【請求項１】
詰め替え用シャンプー，リンス容器キャップに対応する係合孔を設け上部外周に凹みを設けて滑りを防ぐ，キャップ係合孔に縦溝を刻設しキャップ係合部が容器キャップ外周に密着させて，切り欠きを有する握り柄と一対で容器キャップを開ける事を特徴とするキャップ開け具
【手続補正書】
【提出日】平成24年8月20日(2012.8.20)
【手続補正１】
【補正対象書類名】実用新案登録請求の範囲
【補正対象項目名】全文
【補正方法】変更
【補正の内容】
【実用新案登録請求の範囲】
【請求項１】
略長方形の握り柄（１）における長手方向の端部に詰め替え用容器のキャップの根元を囲む切り欠き形状の口挟み（３）を備えた握り柄（１）と、キャップ回し（４）と，をスプリング紐（６）を介して連結した，詰め替え用のキャップ開け具であって，前記キャップ回し（４）は，詰め替え用容器のキャップに係合する係合孔であって，内側面に縦溝が刻まれた係合孔（５）と，当該キャップ回しの外側面上部に複数の凹部が設けられたことを特徴とする詰め替え用容器のキャップ開け具。
(57)【要約】【課題】現状におけての糸楊枝歯面清掃具は、手動の商品のみであった。本考案は糸楊枝歯面清掃具を電動で振動させることにより効率的に歯面隣接部の微細凹部に入り込んだ汚れを機械的にかき出す機能を有する清掃具を作ることを課題とした。【解決手段】本考案は糸楊枝歯面清掃部を電動で振動させる振動体を有する振動部に固着させることにより、手動よりも微細な振動を糸楊枝歯面清掃部に伝達させ、その振動により効率的に微細凹部の清掃、歯面隣接部の微細凹部に入り込んだ汚れをより深い範囲でかつ、微細箇所まで短時間で機械的にかき出す清掃を可能にした。【選択図】図１
0003179560.tif 000002
【実用新案登録請求の範囲】
【請求項１】
電動で振動させる振動体を有する振動部と、把持部とを有する本体と、振動部に固着可能な糸楊枝清掃部とを備えた糸楊枝歯面電動清掃具
【考案の詳細な説明】
【技術分野】
【０００１】この考案は、糸楊枝歯面清掃部を電動で振動させることにより、歯面隣接部の微細凹部に入り込んだ汚れを機械的にかき出す電動糸楊枝歯面清掃具に関するものである。
【背景技術】
【０００２】歯面隣接部に付着した食物のカスや雑菌除去を目的とした糸楊枝歯面清掃清掃商品がドラッグストアー等においても各種商品が販売されている。
【考案の概要】
【考案が解決しようとする課題】
【０００３】現状におけての糸楊枝歯面清掃具は、手動の商品のみであった。本考案は糸楊枝歯面清掃具を電動で振動させることにより効率的に歯面隣接部の微細凹部に入り込んだ汚れを機械的にかき出す機能を有する清掃具を作ることを課題とした。
【課題を解決するための手段】
【０００４】本考案は糸楊枝歯面清掃部を電動で振動させる振動体を有する振動部に固着させることにより、手動よりも微細な振動を糸楊枝歯面清掃部に伝達させ、その振動により効率的に歯面隣接部の微細凹部に入り込んだ汚れをより深い範囲でかつ、細かい箇所まで短時間で機械的にかき出す機能を有する清掃具を考えた。
【考案の効果】
【０００５】現状におけての糸楊枝歯面清掃具は、手動の商品のみであったため一定の時間と労力を要し、かつ微細部において清掃効果があがらないことがあった。本考案は糸楊枝歯面清掃部を電動で振動させることにより、手動よりも微細な振動を歯面隣接部に伝達させ、その振動により効率的に歯面隣接部の微細凹部に入り込んだ汚れをより深い範囲でかつ、微細箇所まで短時間で機械的にかき出す清掃を可能にした。
【考案の実施するための形態】
以下、本考案の実施の形態について説明する。
（イ）、１．糸楊枝歯面清掃部を２．電動で振動させる振動体を有する振動部に固着させる
【図面の簡単な説明】
【図１】本考案の正面図である。
【図２】本考案の側面図である。
【図３】本考案の平面図である。
【符号の説明】１  糸楊枝歯面清掃部
２  電動振動体
【図１】
0003179560.tif 000003
【図２】
0003179560.tif 000004
【図３】
0003179560.tif 000005
(57)【要約】      （修正有）【課題】交換式レンズのカメラ用速写ケースでレンズを大きな物に交換しても前に倒れないようバランスをとることができるように、底の形状を工夫した連写ケースを提供する。【解決手段】レンズを交換できる方式のカメラに用いる速写ケースの底１のレンズ５の真下にあたる部分２を出っ張らせる構造とする事により、バランスを取りレンズの重みで前に倒れる事を防ぐ事ができるようにした。【選択図】図３
0003179555.tif 000002
【実用新案登録請求の範囲】
【請求項１】
速写ケースの底面のカメラを装着した際にレンズの下に当たる部分にカメラが前に倒れないようバランスをとるための突起上の出っ張りの形状を備えたことを特徴とする速写ケース
【考案の詳細な説明】
【技術分野】
【０００１】本考案はカメラの速写ケースの底の形状を工夫する事でレンズの重みで前に倒れないようバランスを取ることができるようにしたものである。
【背景技術】
【０００２】従来は交換式レンズのカメラ用速写ケースで大きなレンズを使用した際に前に倒れないようバランスをとることが可能なものがなかった。
【考案の概要】
【考案が解決しようとする課題】
【０００３】カメラのレンズを大きな物に交換するとバランスが取れず前に倒れてしまい速写ケースを付けていてもレンズを傷つけてしまうという問題点があった。
【課題を解決するための手段】
【０００４】速写ケースの底のレンズの真下にあたる部分を出っ張らせる事によりバランスを取りレンズの重みで前に倒れる事を防ぐ事ができるようにした。
【考案の効果】
【０００５】カメラのレンズを大きな物に交換しても前に倒れる事なくバランスをとる事ができる。
【図面の簡単な説明】
【０００６】
【図１】本考案の平面図
【図２】本考案の立体図
【図３】本考案のカメラ装着時の立体図
【符号の説明】
【０００７】１  速写ケース底面
２  出っ張り部
３  速写ケース本体
４  カメラ本体
５  レンズ
【図１】
0003179555.tif 000003
【図２】
0003179555.tif 000004
【図３】
0003179555.tif 000005
(57)【要約】      （修正有）【課題】４０度以上の急峻な勾配を持つカバーの設置により雪が積もる前に雪を滑落させて、降る雪を家屋専有面積内に片時も留まらせることがない積雪防止装置を提供する。【解決手段】既存屋根４の上にパイプ等で組上げた骨組みに、４０度以上傾斜を設けてにシート１を被せる。なお、強風時にはシートを巻上げることにより過大な負荷が家屋に掛からないようにする。巻上げは、すだれ等で用いられる巻き上げ方法が簡易である。シート面積が大きいので巻上げに動力を使用すれば労力を省ける。あるいは、カバーを一枚のシートではなく複数枚に分割したシートを分割配置する方法もある。また、骨組み自体の安定のためワイヤ等で家屋に固定あるいは地上等から引っ張っておくのが望ましい。【選択図】図１
0003179554.tif 000002
【実用新案登録請求の範囲】
【請求項１】
家屋屋根等への積雪防止のために設置される装置において、雪を受ける面の水平面とのなす角度が４０度以上の勾配を持つことを特徴とした装置
【考案の詳細な説明】
【技術分野】
【０００１】
本考案は、屋根への積雪防止装置に関するものである。
【背景技術】
【０００２】
豪雪地帯では屋根の積雪降ろしに多大の労力を費やしている。時には命を掛ける状況さえ発生している。
【０００３】
この労力低減、リスク回避を図るため多くの方法が考えられているが、コストの点から容易には採用できない等により、今もって雪下ろしの状況は以前と変わっていない。
【０００４】
この改善策として、文献１では大きく三つの方式に分類している。そのうちの一方式である「落雪式屋根」の考え方は、方法いかんによってはコスト的に安価に対応できる可能性がある。特許文献１ではこの一方法を発明している。
【０００５】
降り積もった雪が自然に滑り落ちるのが最も好ましい方法である。
【先行技術文献】
【非特許文献】
【０００６】
【非特許文献１】屋根雪の処理方法の特徴約封に関する資料：新潟県土木部都市局建築住宅課（平成１８年１２月）
【特許文献】
【０００７】
【特許文献１】特開２００７−３０９０１８
【考案の概要】
【考案が解決しようとする課題】
【０００８】
解決しようとする課題は、屋根に雪が積もることがない方法の案出である。特許文献１によれば、屋根全体を覆う撥水性、耐水性カバーの設置により、カバー勾配は３０度程度で十分な雪の滑落作用が得られるとしている。特許文献１は、シート上にある程度の積雪を前提としている。ところで、雪の状態は、その時の気象状況により大きく異なる。雪は積もれば最下層の雪はシートに押しつけられシート面に氷結あるいは凍結されて滑りにくくなる可能性もある。また、ある程度積もった雪の落下は危険でもあり、屋根にはむしろ落雪防止策が施される。積雪の滑落ということを無くす必要がある。そのためには屋根上にせよカバー上にせよ積雪を許してはならない。降った雪は屋根上に積もることなくそのまま滑り落ちる方法が求められる。
【課題を解決するための手段】
【０００９】
一般に、屋根あるいは特許文献１のようなカバーの傾斜角を大きくすればするほど積雪防止効果が大きいことは周知である。求められるのは設置が容易でかつ安価な方法である。本考案では、４０度以上の急峻な勾配を持つカバーの設置により雪が積もる前に雪を滑落させて、降る雪を家屋専有面積内に片時も留まらせない。
【考案の効果】
【００１０】
本考案により、屋根上に雪が積もることはなく、現状の屋根の雪下ろしの苦労・リスクがなくなる。また、当該シートは夏場においては日差防止の用途にも使用できる。
【図面の簡単な説明】
【００１１】
【図１】本考案実施の例
【図２】シート収納の例
【図３】補強の例
【考案を実施するための形態】
【００１２】
既存屋根上にパイプ等で組上げた骨組みにシートを被せることにより目的を達する（図１）。なお、強風時にはシートを巻上げることにより過大な負荷が家屋に掛からないようにする（図２）。巻上げは、すだれ等で用いられる巻き上げ方法が簡易である。シート面積が大きいので巻上げに動力を使用すれば労力を省ける。あるいは、カバーを一枚のシートではなく複数枚に分割したシートを分割配置する方法もある。また、骨組み自体の安定のためワイヤ等で家屋に固定あるいは地上等から引っ張っておくのが望ましい（図３）。なお、図１から図３では骨組み下端部が屋根最下端部（庇先端）まであるが、更に上の方にあってもよい。骨組み両側面はシート等で塞でもよい。
【実施例１】
【００１３】
シート材質は、フッ素樹脂等の雪との摩擦係数等の小さい材質が好ましいがコストとの兼ね合いであり、安価なシートを用いシート勾配を増すことにより対応可能である。
【００１４】
シート状カバーに替えて、たとえば、ポリカーボネート波板等を用いることも可能である。この場合、風対策は、これら波板を寄せ集めることで対応可能である。
【符号の説明】
【００１５】
１  展開シート
２  巻上げシート
３  骨材
４  屋根
５  補強ワイヤ
【図１】
0003179554.tif 000003
【図２】
0003179554.tif 000004
【図３】
0003179554.tif 000005
(57)【要約】      （修正有）【課題】寝たきりになってしまったペットの為に排尿、排便及び大型犬の寝返りを楽にしてあげ、排尿、排便後の始末も楽に出来るペット専用トイレ付の介護ベッドを提供する。【解決手段】四角で長方形の形をしたベッドであり、ベッド上部左右に上半身を乗せるスペース５，８があり、それぞれが中央上に持ち上がり、ベッド下部には下半身を乗せるスペース６と、穴２があるペット専用トイレ付の介護ベッドであって、前記ベッド上部左右のスペースを中央上に持ち上げる事により寝返りをうたせる事ができ、前記ベッド下部の穴により排尿排便がベッド下に落ちるように形成する。【選択図】図１
0003179514.tif 000002
【実用新案登録請求の範囲】
【請求項１】
四角で長方形の形をしたベッドでありベッド上部左右に上半身を乗せるスペースがありそれぞれが中央上に持ち上がりベッド下部には下半身を乗せるスペースと楕円形をした穴を十文字にあけた穴があるペット専用トイレ付の介護ベッドであって前記ベッド上部左右のスペースを中央上に持ち上げる事により寝返りをうたせる事ができ前記ベッド下部の穴により排尿排便がベッド下に落ちる事を特徴とするペット専用トイレ付の介護ベッド
【考案の詳細な説明】
【技術分野】
【０００１】  本考案は寝たきりになってしまったペットの為に排尿、排便及び大型犬の寝返りを楽にしてあげ、排尿、排便後の始末も楽に出来るキャスター付きの介護ベッドである
【背景技術】
【０００２】  今までは排尿、排便にも関わらず専用のパットをつけるかトイレ用のシーツの上で下半身を乗せたまま排尿、排便するしかなく、ペットにも床ずれが起き大型犬の寝返りは大変だった
【考案の概要】
【考案が解決しようとする課題】
【０００３】  介護用のベッドで寝たままの状態で排尿、排便が出来ベッドも汚さずにペット自身も汚れず後始末も楽に出来、寝返りも簡単に出来るようにする
【課題を解決するための手段】
【０００４】  本考案は介護用ベッドで寝たままの状態で排尿、排便の際パットを付けなくてもよく、寝返りを楽に出来るようにしている
【考案の効果】
【０００５】  本考案によりキャスター付きの介護用ベッドで部屋の中の移動が自由に出来、排尿、排便、寝返り、後始末が楽になりペットも飼い主も精神的にも満足していただける
【図面の簡単な説明】
【０００６】
【図１】  斜め前から見た図面
【考案を実施するための形態】
【０００７】  ベッドはフラットな状態で上半身の部分が中心から左右に寝かせるスペースがあり、それぞれが寝返りをうたせるように上に持ち上げれるようになっており寝返りが楽に出来、下半身の部分は固定してあり排尿、排便の位置に穴があけてあり汚物が下に落ちてトイレ用のシーツで受ける状態になる
【実施例】
【０００８】  以下添付図面に従って実施例を説明する
本体は耐久性とペットの大きさに合わせて作れる加工性の優れた木材によるペット専用トイレ付介護ベッドであり▲１▼のキャスター付きのベッドの上に寝かせ▲２▼排尿、排便用の穴をペットのサイズに合わせてあけ▲３▼のスライド板を引き▲４▼の手前にスライド出来る底板の上にトイレ用のシーツを置き、用をして、大型犬の寝返りの際は▲５▼のスペースに上半身を▲６▼のスペースに下半身を乗せて寝かせておき▲７▼の取手を使い上に▲５▼のスペースを持ち上げ▲８▼のスペースに寝返りをうたせる
【符号の説明】
【０００９】▲１▼キャスター▲２▼排尿、排便用の穴▲３▼穴を塞いでいるスライド板▲４▼スライド出来るベッドの底部▲５▼大型犬の上半身を乗せる左側のスペース▲６▼大型犬の下半身を乗せるスペース▲７▼取手▲８▼大型犬の上半身を乗せる右側のスペース
【図１】
0003179514.tif 000003
【手続補正書】
【提出日】平成24年8月16日(2012.8.16)
【手続補正１】
【補正対象書類名】実用新案登録請求の範囲
【補正対象項目名】全文
【補正方法】変更
【補正の内容】
【実用新案登録請求の範囲】
【請求項１】
四角で長方形の形をしたベッドであり、ベッド上部左右に上半身を乗せるスペースがあり、それぞれが中央上に持ち上がり、ベッド下部には下半身を乗せるスペースと、穴があるペット専用トイレ付の介護ベッドであって、前記ベッド上部左右のスペースを中央上に持ち上げる事により寝返りをうたせる事ができ、前記ベッド下部の穴により排尿排便がベッド下に落ちる事を特徴とするペット専用トイレ付の介護ベッド
(57)【要約】      （修正有）【課題】ベルト感覚で簡単に装着できる簡易式の付け帯を提供する。【解決手段】和服の帯において、皮（革）を素材とし、角帯及び半幅帯の幅の胴巻き部は皮を折って両面テープで止め２枚重ねにし、一端に形成された角帯及び半幅帯結びを縫着し、その胴巻き部内側にベルベットファスナーを取り付け他方一端表側にもベルベットファスナーを取り付け装着する際、背面で重なるようにする。【選択図】図１
0003179515.tif 000002
【実用新案登録請求の範囲】
【請求項１】
和服の帯に置いて、皮（革）を素材とし、角帯及び半幅帯の幅の胴巻き部は皮を折って両面テープ（商標登録）で止め２枚重ねにし、一端に形成された角帯及び半幅帯結びを縫着し、一回ですべてワンタッチ装着出来る事を特徴とする付け帯。
【請求項２】
前記一端に形成された角帯及び半幅帯結び目は、胴巻き部と同じ幅で形成するが、膨らみをもたせるに当たり何箇所か糸止めをし、胴巻き部一端に縫着する際、皮の素材を活かし用途や嗜好に合わせて様々な形状に仕立てることが可能な特徴ある請求項１の付け帯。
【請求項３】
結び目内側部分に長さ１５〜１８ｃｍのベルベットファスナーを取り付け、もう他一端には表側部分にベルベットファスナーを長さ８〜１５ｃｍを取り付け、装着の際このマジックテープ部分が背面で重なるようにする。
【考案の詳細な説明】
【技術分野】
【０００１】  本考案は、素人であってもベルト感覚で装着できる簡易式の男性の角帯及び女性の半幅帯結び目の革（皮）帯に関するものである。素材に革を使用することにより、手入れが簡単で男性も女性も共に着用時に容易に装着出来、ずれることのない、しかも容易に和服姿となり後始末も簡単な手入れで済む革帯を提供する事を課題とする。
【背景技術】
【０００２】  男性、女性共に和服を着用する場合、帯は必需品である。和服を着用するに当って使用する帯は、男性は角帯であり、女性は浴衣、ウール、紬、絣等の場合は半幅帯であり、腰に巻きつけて両先端部が結ばれる。この際の結び方は、帯が弛まないように締めるだけでなく、結び目の形を整えることが必要である。素人では該半幅帯を老若男女共に締めることは出来ない。又、使用後の帯の手入れも簡単ではない
【先行技術文献】
【特許文献】
【０００３】
【特許文献１】  実用新案登録第３０４０５４９号に係る「角帯」
【特許文献２】  特開２００３−２０１６１１に係る「ワンタッチ付け帯」
【特許文献３】  特開２００５−１８７９５３に係る「簡易型帯」
【考案の概要】
【考案が解決しようとする課題】
【０００４】  従来の男性・女性用簡易式帯に係る帯は様々な工夫がなされている。本考案に係る簡易式革帯は、帯本体の一端に形成された結び目，角帯及び半幅帯結びを縫着し、その裏側にベルベットファスナーを取り付け、他方一端表側にもベルベットファスナーを取り付けて装着する際、このベルベットファスナーの部分が背面で重なるようにし簡単に腰に巻きつけることにより課題を解決した。
【課題を解決する為の手段】
【０００５】  本考案に係る簡易式革帯は、帯本体の胴巻き部は、二つ折りの幅８，５ｃｍ〜９ｃｍ長さ９５ｃｍ〜１２０ｃｍの角帯の幅の帯状に仕立て、半幅革帯の胴巻き部は幅１２ｃｍ〜１５ｃｍの帯状に仕立て、両端にはベルベットファスナーを長さ１５ｃｍ〜１８ｃｍの物を裏側中央部に設け、表側は１０ｃｍ〜１５ｃｍの物を中央部に取り付ける。裏側にベルベットファスナーが取り付けてある一端に革で形成した角帯及び半幅帯結びを縫着する。
結び目は帯結びの要領で形成している為形の良い結び目となり、何箇所か糸止めをし、形成した帯は解けることはない。
【考案の効果】
【０００６】  以上の説明から明らかの様に本考案の革角帯及び革半幅帯は胴に一回巻いてベルベットファスナーで係仕するだけで容易に装着出来る。
【０００７】  また、着用している間に巻き付けた帯がずれたり弛んだりする事がなく、着用後の手入れが非常に簡単である。
【図面の簡単な説明】
【０００８】
【図１】本考案により作り帯の完成図
【図２】本考案による作り帯の正面図
【図３】本考案による作り帯の背面図
【図４】本考案による半幅帯結びの正面図
【考案を実施する為の形態】
【実施例１】
【０００９】  図１は、本考案に係る簡易式革帯を示す実施例であり、図１は角帯の完成図１、図２は正面図、同図２−３は帯胴体部分で二重になった細長い革の半幅帯となっていて、この一端に形成された結び目２を縫着６して、該結び目２は何箇所か横着６している為、結び目は安定し帯締め作業時に結び目を作る必要がない。【００１０】  次いで、帯本体の一端に形成された結び目のある裏側部分図３に、ベルベットファスナー４が長さ１５ｃｍ〜１８ｃｍ取り付けられており、他端表側部分５には１０ｃｍ〜１５ｃｍのベルベットファスナーを取り付け、重ね合わせて装着する。【００１１】  図４は女性用半幅結び２の平面図で、胴体部３の帯幅が１２ｃｍ〜１５ｃｍに替わる。
【符号の説明】
【００１２】１    角帯本体
２    形成された角帯  と半幅帯結び
３    胴体部分
４    裏側ベルベットファスナー
５    表側ベルベットファスナー
６    形成された帯を縫止め
【図１】
0003179515.tif 000003
【図２】
0003179515.tif 000004
【図３】
0003179515.tif 000005
【図４】
0003179515.tif 000006
【手続補正書】
【提出日】平成24年8月8日(2012.8.8)
【手続補正１】
【補正対象書類名】実用新案登録請求の範囲
【補正対象項目名】全文
【補正方法】変更
【補正の内容】
【実用新案登録請求の範囲】
【請求項１】
和服の帯において、皮（革）を素材とし、角帯及び半幅帯の幅の胴巻き部は皮を折って両面テープで止め２枚重ねにし、一端に形成された角帯及び半幅帯結びを縫着し、その胴巻き部内側にベルベットファスナーを取り付け他方一端表側にもベルベットファスナーを取り付け装着する際、背面で重なるようにし簡単に装着できることを特徴とする付け帯。
【請求項２】
前記一端に形成された角帯及び半幅帯結び目は、胴巻き部と同じ幅で形成するが、膨らみをもたせるに当たり何箇所か糸止めをし、胴巻き部一端に縫着する際、皮の素材を活かし用途や嗜好に合わせて様々な形状に仕立てることが可能な特徴ある請求項１の付け帯。
【請求項３】
結び目内側部分に長さ１５〜１８ｃｍのベルベットファスナーを取り付け、もう他一端には表側部分にベルベットファスナーを長さ８〜１５ｃｍを取り付け、装着の際このベルベットファスナーが背面で重なり装着できる事を特徴とする請求項１の付け帯。
(57)【要約】      （修正有）【課題】手袋が着脱しやすくフイットし、効率的に洗濯ができる、手洗い洗濯用手袋を提供する。【解決手段】手袋の手の平面と、甲の両面に粒等の凹凸３を設け、手首部と肘下部に設ける調整ベルトの両端に設けた面フアスナー部５、７により、浅くまた深く留めることにより、各人に合わせることが出来ることを特徴とする手洗い洗濯用手袋。【選択図】図１
0003179516.tif 000002
【実用新案登録請求の範囲】
【請求項１】
手袋の手の平と甲の両面に粒等の凹凸を設け、手首部と下腕部に調整ベルトを設けたことを特徴とする手洗い洗濯用手袋。
【考案の詳細な説明】
【技術分野】
【０００１】本発明は、粒凹凸等付き手袋に調整ベルトをセットした手洗い洗濯用手袋に関するものである。
【背景技術】
【０００２】従来、ゴム等の手袋の手首部、下腕部に緩い絞りのものがあった。
また、作業用として糸編み手袋に粒付き、野菜皮むき用として尖った粒付きなどがあるが、洗濯用としては、皮膚の保護用としたものである。
【先行技術文献】
【０００３】
【特許文献１】特開平１０−０７２７１３号公報
【考案の概要】
【考案が解決しようとする課題】
【０００４】そのために、次のような問題点があった。
（イ）一般にある洗濯用、水作業として、大小形状のものがあるが、手首下腕部の絞り        が緩く、作業中に弛んで指先にだぶり、小さめのを選ぶと着脱が困難になる。
（ロ）洗剤に浸った衣類は、滑るためもみ洗い絞りも十分行えない。
本発明は、これらの問題点を解決するためになされたものである。
【課題を解決するための手段】
【０００５】ゴム等の手袋の手の平、甲の両面に粒等凹凸を設け、手首部と下腕部に調整ベルトを設ける。
以上を特徴とする手洗い洗濯用手袋である。
【考案の効果】
【０００６】  大人用として大小問わず着脱しやすく、指先がきちんと収まり、ずれることなく、汚れの多い部分を集中的にもみ洗いしやすく、絞りやすく、寒い時期は袖の上までセットでき効率的である。
【図面の簡単な説明】
【０００７】
【図１】  本発明の手の平面
【図２】  本発明の手の甲面
【考案を実施するための形態】
【０００８】以下、発明の実施の形態について説明する。
（イ）手の平面（１）と手の甲面（２）に粒等凹凸（３）を設ける。
（ロ）手首部（４）に面ファスナー付き調整ベルト（５）を設ける。
（ハ）下腕部（６）に面ファスナー付き調整ベルト（７）を設ける。
（ニ）面ファスナー付き調整ベルト（５）と（７）の付着部（８）を設ける。
本発明は、以上のような構成で、これを使用するときは、下腕部（６）より手を差し入れて指先に届いたら、各々面ファスナー付き調整ベルトを留め始めるが、洗濯物を握りもみ洗いは、指間接を曲げることにより、外側の凹凸も機能するからである。以上のような構成から、左右入れ替えても使用できる。
【符号の説明】
【０００９】１  手の平面
２  手の甲面
３  粒等凹凸
４  手首部
５  面ファスナー付き調整ベルト
６  下腕部
７  面ファスナー付き調整ベルト
８  調整ベルト付着部
【図１】
0003179516.tif 000003
【図２】
0003179516.tif 000004
【手続補正書】
【提出日】平成24年8月13日(2012.8.13)
【手続補正１】
【補正対象書類名】実用新案登録請求の範囲
【補正対象項目名】全文
【補正方法】変更
【補正の内容】
【実用新案登録請求の範囲】
【請求項１】
手袋の手の平面と、甲の両面に粒等の凹凸を設け、手首部と肘下部に設ける調整ベルトの両端に設けた面フアスナー部により、浅くまた深く留めることにより、各人に合わせることが出来ることを特徴とする手洗い洗濯用手袋。
(57)【要約】      （修正有）【課題】透明床用塩ビフロアマットと蓄光塩ビフィルムを組み合わせることにより、設置が容易で、見やすくかつ大量生産可能な誘導標識シートを提供する。【解決手段】透明床用塩ビフロアマット１からなる表面と、溶剤系インクで印字がされている中面２と、蓄光塩ビフィルムからなる裏面３とからなり、全体の形状を矢印として誘導標識シートを形成する。表面に透明床用マット塩ビを使用したことで滑りにくく、印字面も表面の透明床用マット塩ビでカバーされ、擦れ等の色落ちがなく、蓄光フィルムに傷が届き難く、長期間光を発することに優れており、なおかつ大量生産が可能なため価格も安く提供することができる。【選択図】図５
0003179517.tif 000002
【実用新案登録請求の範囲】
【請求項１】
形状を矢印の形にしたことで従来の誘導標識よりさらに指し示す方向を明確にし、又矢印部分を緑取ることで暗闇の中での非常口・出口を示す方向を床用塩ビフロアマット及び蓄光塩ビフィルムの使用により一層明確に出来ることを特徴とする耐久性にすぐれた誘導標識床用蓄光道しるべ非常口。
【考案の詳細な説明】
【技術分野】
【０００１】  本考案は、地下街、駅構内、市役所、県庁、一般ビル等建物内などの床面に設置し、非常口又は出口がある方向を避難者に矢印で示す用途に用いて好意な誘導標識に関するものである。
【背景技術】
【０００２】    地下鉄駅構内や地下街、ビル等の屋敷施設において、非常口、非常階段等の位置を示す誘導灯や避難灯などが設置されている。これらは停電時にも点灯するようになっているが、通常２０分、長くても１時間である。また、電気配線を必要とするため、設置が困難であり、高価格でもある。さらに、天井付近に設置してあるため、これは一見表示を発見しやすいようだが、地震や火災等の災害時には煙が発生し、人々は下を向いて這うようにして歩くため実際は見難い、等の欠点がある。
【先行技術文献】
【特許文献】
【０００３】
【特許文献１】  特開２００−４５８２３
【考案の概要】
【考案が解決しようとする課題】
【０００４】  地震や火災等の災害時、急な停電や暗がりになっていても光を発し見やすく、より早く非常口又は出口に誘導でき、また、コスト面に関しても掲示有利な状態にし提供することで、誘導標識の設置を推進する目的とする。
【課題を解決するための手段】
【０００５】  本考案は、上記を鑑み検討した結果、床用に使用可能で周りとのマッチング性に優れる素材の発明を完成するに至った。
すなわち本発明は、表面に透明床用マット塩ビ、中面に溶剤系インクでの印字、裏面に蓄光塩ビフィルム接着面付きを合わせることで誰にでも簡単に設置可能できる物を提供するものである。
【考案の効果】
【０００６】  本発明によれば、矢印をモチーフに形を作成しており、見やすく表面に透明床用マット塩ビを使用したことで滑りにくく、印字面も表面の透明床用マット塩ビでカバーされ、擦れ等の色落ちがなく、蓄光フィルムに傷が届き難く、長期間光を発することに優れており、なおかつ大量生産が可能なため価格も安くでの誘導標識シートを提供することができる。
【図面の簡単な説明】
【０００７】
【図１】本発明の９０度まがり左矢印の平面図
【図２】本発明の９０度まがり右矢印の平面図
【図３】本発明の左矢印の平面図
【図４】本発明の右矢印の平面図
【図５】本発明の実施形態の断面図
【発明を実地するための形態】
【０００８】  本発明の誘導標識床用蓄光道しるべ非常口は、床用フロアマットを使用していることと、溶剤系インクでの印刷、蓄光塩ビ粘着付きシートを使用し色落ち擦れ等に強く滑りにくく簡単に設置でき、矢印の形状で解りやすく道筋をアピールし、急な停電や暗がりに光を発することを特徴とする。
【０００９】  本発明の概要は３層構造になっており、上面ＪＯＬ塩ビフロアマット２００ｕ、中面溶剤インク印刷、下面蓄光シート塩ビＣ−２５０を重ね合わせた形状になっている。
【００１０】蓄光測定を具体的に示す。
消防庁が定める蓄光式誘導標識の設置及び維持の基準としてＪＩＳＺ８７１６の常用高原蛍光ランプＤ６５による照度２００ルクスの外光を２０分間照射しての数値。
0003179517.tif 000003
【００１１】  図１は、交差点での左側に進むことをアピールするための形状になっており非常口の方向を示したものである。
図２は、交差点での右側に進むことをアピールするための形状になっており非常口の方向を示したものである。
図３は、通路左側に真っ直ぐ進むことをアピールするための形状になっており非常口の方向を示したものである。
図４は、通路右側に真っ直ぐ進むことをアピールするための形状になっており非常口の方向を示したものである。
図５は、本発明の断面図であり形状を示したものである。
【産業上の利用可能性】
【００１２】  床に矢印の形状で設置するため、地震や火災等の災害時、急な停電や暗闇になっても光を発し非常口又は出口への道しるべを示唆し、大量生産を可能にすることでコストを押さえ提供することができ命にかかわる誘導標識を解りやすい形状で推進することができる。
【符号の説明】
【００１３】（１）ＪＯＬ塩ビフロアマット２００ｕ
（２）Ｒｏｌａｎｄ  ＶＰ−５４０出力機溶剤系インク印刷
（３）蓄光シート塩ビＣ−２５０
【図１】
0003179517.tif 000004
【図２】
0003179517.tif 000005
【図３】
0003179517.tif 000006
【図４】
0003179517.tif 000007
【図５】
0003179517.tif 000008
【手続補正書】
【提出日】平成24年8月7日(2012.8.7)
【手続補正１】
【補正対象書類名】実用新案登録請求の範囲
【補正対象項目名】請求項１
【補正方法】変更
【補正の内容】
【請求項１】
透明床用塩ビフロアマットからなる表面と、溶剤系インクで印字がされている中面と、蓄光塩ビフィルムからなる裏面とからなり、全体の形状が矢印であることを特徴とする誘導標識シート
(57)【要約】      （修正有）【課題】光源を、蝋燭等からソーラーで充電する蓄電池式（明るくなると充電、暗くなると放電）とＬＥＤに換えるとともに、竹などの筒状体の側面に穴やスリット状の隙間を設け、内部の光が漏れるようにした灯りを提供する。【解決手段】竹１を使用し、筒の長さは４０ｃｍ程度。竹筒の上端部に市販のソーラー充電蓄電池式自動点灯消灯ＬＥＤ光源３をねじ止めする。竹の側面にはドリルで穴を開けた。穴７は横一列４０ｍｍ間隔に２０ｍｍ径の穴をあけ、その穴の中心線より２０ｍｍ離して上下に先に開けた２０ｍｍ穴の中間の位置に１２ｍ径の穴７を開けた。更に、下方に１０ｍｍ径の穴７を２０ｍｍ間隔に２連開けて庭園等屋外で使用する灯り６とする。さらに、竹の長さを短くし、安定を良くして屋内用としても良い。【選択図】図２
0003179533.tif 000002
【実用新案登録請求の範囲】
【請求項１】
竹など筒状体の側面に穴やスリット状の隙間を設け、その内部に光源として、明るくなると充電、暗くなると放電するソーラーによる充電の蓄電池とＬＥＤを組み合わせた灯り。
【考案の詳細な説明】
【技術分野】
【０００１】
従来の竹灯りは、竹の中に蝋燭を入れ点火していたが、蝋燭の補充や点火、消火をしなければならなかった。また、風の強い日などは火が消えることもあり、且つ火災や火傷の心配から設置場所などが限定されていた。
そこで、蝋燭の代わりに、ソーラーで充電する蓄電池と自動点灯・消灯させるLED等の光源にするとともに、竹等の筒状体の側面に穴やスリット状に隙間を設け、内部の光が漏れるようにした。
これにより、蝋燭の補充が不要になった。また、火を使わないから火災や火傷の心配が無用になった。更に、日が当たり充電できる場所なら電源コンセントも不用で、どこでも置けるため、庭園や屋内の縁側、窓際など使用可能場所が格段に広がった。なお、自然の竹などを使用すれば、昼夜を通してインテリアとしての効果も期待できる。夜間停電時は、誘導灯的な役割も期待できる。
【背景技術】
【０００２】
従来の竹灯りは、竹筒の中に蝋燭など入れて点火していた。たとえば、図１に示すように竹を節で切りコップ状にして、竹の中に蝋燭など入れて点火して、イベントなどで使用している。
【考案の概要】
【考案が解決しようとする課題】
【０００３】
しかし、竹筒の中に入れた蝋燭などが点火とともに減っていくため、補充が不可欠であった。点火や消火は人力によって行っていた。風の強い時などは火が消えることもあり、巡回が必要であった。可燃物の近くでは火災の心配があった。火を使うため、子供などが近づくと火傷の危険があった。火を使うため使用場所が限定されていた。
【課題を解決するための手段】
【０００４】
光源を、蝋燭等からソーラーで充電する蓄電池式（明るくなると充電、暗くなると放電）とLEDに換えるとともに、竹などの筒状体の側面に穴やスリット状の隙間を設け、内部の光が漏れるようにした。
【考案の効果】
【０００５】
暗くなると自動的に点灯、明るくなると自動的に消灯するため手間がいらなくなった。当然、蝋燭などの補充が不要になった。強風などで火の消える心配が不要になった。火を使わないから、火災や火傷の危険がなくなった。電源コンセントを気にせず、日が当たり充電できる場所なら、庭や屋内の縁側、出窓等どこにでも置くことができるようになった。竹など円筒体に穴やスリット状の空間を設け、内部の光が漏れるようにしたため、光と影の模様がインテリアとして楽しめる。夜間の停電などの場合、誘導灯の役割も期待できる。竹の使用は、加工し易いため、長めの庭園灯から短めの屋内灯まで加工が自在である。
【図面の簡単な説明】
【０００６】
【図１】従来の竹灯りを示す図である。
【図２】本考案の実施例１の竹灯りを示す図である。
【図３】本考案の実施例２の竹灯りを示す図である。
【考案を実施するための形態】
【０００７】
以下、本考案の実施の形態を図面に基づいて説明する。
【実施例１】
【０００８】
本考案の実施例１を図２に示す。まず、左の図の実施例を説明する。竹１を使用し、筒の長さは４０cm程度。庭園用の竹灯り６。竹筒の上端部に市販のソーラー充電蓄電池式自動点灯消灯LED光源３をねじ止めする。竹の側面にはドリルで穴を開けた。穴７は横一列４０mm間隔に２０mm径の穴をあけ、その穴の中心線より２０mm離して上下に先に開けた２０mm穴の中間の位置に１２mm径の穴７を開けた。更に、下方に１０mm径の穴７を２０mm間隔に２連開けた。
次に、右の図の実施例を説明する。竹を使用し、筒の長さは１７cm程度。転倒し難い屋内用竹灯り。上記同様の市販のソーラー充電蓄電地式自動点灯消灯LED光源３をねじ止めする。竹の側面にはドリルでひし形の頂点の位置に１２mm径の穴７を開けた。ひし形の対角線の長さは横５５mmと縦４５mm。どの位置からも穴が見えるように、３セット開けた。
【実施例２】
【０００９】
本考案の実施例を図３に示す。加工し易い竹１を使用し、全長１１０cm。上部の竹１を斧で１６等分に割り、約６０cm裂く（割る）。スリット状にするため竹の輪切りなどはめ込み調整して、上端に市販のソーラー充電蓄電池式自動点灯消灯LED光源３を設置する。下部は、足に相当する部分として斧で８等分して、竹が開いた状態にするため、竹の輪切り５をはさんで、安定をよくした。腰にあたる部分は棕櫚縄４を巻いて割れ防止とアクセントにした。
【符号の説明】
【００１０】
１  竹
２  蝋燭（竹筒の中にセットしてある）
３  ソーラー充電の蓄電池式自動点灯消灯LED光源（光源部分は竹筒内部にある）
４  棕櫚縄
５  輪切り
６  竹灯り
７  穴
【図１】
0003179533.tif 000003
【図２】
0003179533.tif 000004
【図３】
0003179533.tif 000005
【手続補正書】
【提出日】平成24年9月3日(2012.9.3)
【手続補正１】
【補正対象書類名】実用新案登録請求の範囲
【補正対象項目名】全文
【補正方法】変更
【補正の内容】
【実用新案登録請求の範囲】
【請求項１】
竹など筒状体の側面に穴やスリット状の隙間を設け、その内部に光源として、ソーラーバッテリーとＬＥＤを組み合わせた竹灯り。
(57)【要約】      （修正有）【課題】衛生的に、また痛みをともなわず、薬剤を塗布することができる薬剤塗布用手袋を提供する。【解決手段】中指先端外側に薬剤を塗ってある薄い手袋であって、中指外側を指サックで覆う。【選択図】図１
0003179548.tif 000002
【実用新案登録請求の範囲】
【請求項１】
中指先端外側に病気治療薬が塗布されている薄手の手袋であって、未使用状態ではその薬剤が塗布されている中指外側を更に指サックで覆ったことを特長とする薬剤塗布用手袋。
【考案の詳細な説明】
【技術分野】
【０００１】  本考案は、薬剤を塗布するための手袋に関する、さらに詳細には特に痔治療用手袋に関するものである。
【背景技術】
【０００２】  従来、痔の治療方法としては、一般的に軟膏や座薬が用いられ、薬剤を指に付けてそっと患部に塗ったり、注入軟膏の場合は細くなった先口を肛門に差し込んだり、患部に近付けたりし、その後に太くなった部分を押して先口から内部の薬剤を塗出させ、治療します。坐薬の場合は肛門に差し込んでそのままにします。患部への薬剤塗布に当たっては手袋を着用することもあるが、手袋の指先にあらかじめ必要な薬剤が塗布されているようなものは存在しない。また手袋内部に薬剤をカプセル封入したものや樹脂フィルムに薬剤を塗り込んだものが提案されているが、いずれも自分の手に対するケアのための手袋であって、手以外の患部塗布用薬剤が手袋の外側に組み込まれているものは存在しない。
【先行技術文献】
【特許文献】
【０００３】
【特許文献１】特開２００５−１５４２７４号公報
【特許文献２】特開２００４−１４３６１０号公報
【考案の概要】
【考案が解決しようとする課題】
【０００４】  ところで、この痔幹部への薬剤塗布作業においては、容器から軟膏を指などで取って患部に塗る、或いはチューブ入りの注入軟膏タイプでは、まずは注入口の蓋を取って、それからチューブの薬を肛門に差し込み、または肛門周辺の患部に向けてチューブを絞って薬剤を押し出す動きが必要である。その際は、注入軟膏の場合はチューブの突出口が患部に接触し、大きな激痛を生じさせることがままあり、一方指などで患部に塗る際は、爪が患部に当たってしまったり、また常に清潔な指でなければならず、衛生面でも大変苦労する。【０００５】  また、これ以前の問題として、痔の患者は、患部が患部であるがために医者にも行かれず日常を過ごし、更に薬の副作用で便秘になる方もいらっしゃる。それゆえ腹部の膨満感で食欲不振に陥ったりすることがあった。便が出にくくなると健常者であっても切れ痔になったり、いぼ痔になったりするケースもあり、そのままにしておくとそれが肛門の形に固まってしまい、常にそこに物体が触れるだけで痛みが伴うことになってしまう。
【課題を解決するための手段】
【０００６】  従って、痔の患部治療に際しては、最初からビニールやゴムなどでできた手袋の中指の先部分に薬剤を塗布しておき、製造者から使用者に渡るまでの商品形態としては、薬剤を塗った手袋の中指の先端部分を更にサックなどで覆い、なるべく空気に触れる量を最小限にし、細菌などが入り込まないように滅菌包装して流通させると良い。
【考案の効果】
【０００７】  このように構成したので、使用者は、滅菌包装を解除して中の手袋を取り出し、手にはめた後、中指部分に被せてあったサックを取り除く。これで準備完了。あとは、そっと手袋の中指先端を患部に柔らかく当てて薬を塗布したり、或いは必要に応じて手袋の中指をこう門に挿入し、薬剤を塗布すれば良い。使用した手袋は廃棄する。これにより患部への細菌付着を防止し、爪などによる患部破損もなくなり、更に自分の手や指を汚さずに幹部治療ができるという利点がある。
【図面の簡単な説明】
【０００８】
【図１】本考案の手袋を嵌めた状態での一部断面を示す参考図
【図２】従来の薬容器の参考図
【考案を実施するための形態】
【０００９】  以下に、図面を参照して、本考案を適用した手袋の形態を説明する。
【実施例】
【００１０】  図１は一実施例を示すが、ビニール製の薄く短い手袋本体の中指先端部分に薬剤を塗布し、その面に薬剤保護用のサックを被せて覆う。
図示しないが使用者が使用する前は、厳重な密閉包装されており、使用者はその密閉包装を解いて中の手袋を取り出し、手にはめる。短い手袋なので着用も容易である。
手袋を手に嵌めた後、空いている手で手袋中指のサックを取り去り、手袋をはめた手で患部を柔らかくなでて薬剤を塗布し、或いは肛門に中指を挿入して指を回せば、まんべんなく薬剤を塗布することができる。
治療が終了したら、使用した手袋は手から外して廃棄する。手袋は短いので外す時も容易である。
尚、手袋の指の数は通常形態の５本でなくても、人差し指、中指、薬指の３本だけでも良く、親指と小指は単に孔をあけておいてそこにはむき出しの指が出ていても構わない。手袋でくるまれた３本の指で患部周辺を探りながら治療することでも良い。
尚、本考案は特に痔の治療に当たって有効であることを説明しているが、インキンたむし等の治療にも本考案の手袋で処置することができるものである。
【符号の説明】
【００１１】  １    手袋本体
２    薬剤
３    指サック
４    従来の薬容器
５    手
【図１】
0003179548.tif 000003
【図２】
0003179548.tif 000004